(57)【特許請求の範囲】
【請求項１】
枚葉オフセット印刷機の連続給水装置によって版胴上に装着された刷版に水を供給したのち、インキ供給装置により刷版にインキを供給して印刷を開始する枚葉オフセット印刷機の制御方法において、
（ａ）連続給水装置の調量ローラがオシレーションローラに接触してから水着けローラが水送りの動作を開始するまでの時間Ｔ１、
（ｂ）前記水着けローラが前記オシレーションローラおよび刷版に接触してからインキ供給装置のインキ着けローラがインキ送りの動作を開始するまでの時間Ｔ２、
（ｃ）インキ着けローラが刷版に接触してから給紙が開始されるまでの時間Ｔ３、
のそれぞれの時間Ｔ１乃至Ｔ３を設定可能とし、版胴にセットされる刷版の濡れ性およびインキ塗布性に応じてこれらの時間を設定してから印刷を開始することを特徴とする枚葉オフセット印刷機の制御方法。
【請求項２】
枚葉オフセット印刷機の連続給水装置によって版胴上に装着された刷版に水を供給したのち、インキ供給装置により刷版にインキを供給して印刷を開始する枚葉オフセット印刷機の制御方法において、
（ａ）連続給水装置の調量ローラがオシレーションローラに接触してから水着けローラが水送りの動作を開始するまでの時間Ｔ１、
（ｂ）前記水着けローラが前記オシレーションローラおよび刷版に接触してからインキ供給装置のインキ着けローラがインキ送りの動作を開始するまでの時間Ｔ２、
（ｃ）インキ着けローラが刷版に接触してから給紙が開始されるまでの時間Ｔ３、
の（ａ）乃至（ｃ）の３項目の設定時間を組み合わせたセットを二つ以上作り、これらのセットをスイッチによって切換え可能とし、版胴にセットされた刷版の濡れ性およびインキ塗布性に応じて適切なセットを選択して印刷を開始することを特徴とする枚葉オフセット印刷機の制御方法。
【発明の詳細な説明】
【０００１】
【発明の属する技術分野】
この発明は、枚葉オフセット印刷機の制御方法に関するものである。
【０００２】
【従来の技術】
一般に、枚葉オフセット印刷機においては、給水装置によって版胴に装着された刷版に水を塗布したのち、インキ供給装置によってインキを供給し、その刷版のインキ像をブランケット胴に転写して、前記ブランケット胴と圧胴間に供給される枚葉紙に印刷を施すようにしている。
【０００３】
刷版に水を塗布する給水装置として、連続給水装置が存在する。その連続給水装置として、タンクの貯水中に水元ローラの下部外周を浸漬し、その水元ローラの外周に付着する水を調量ローラからオシレーションローラに送り、そのオシレーションローラから水着けローラに送って版胴に装着された刷版に塗布するようにしたものが知られている。
【０００４】
上記連続給水装置において、印刷開始前の状態で、調量ローラはオシレーションローラに対して非接触の状態とされ、また、水着けローラは、オシレーションローラと版胴の双方に対して非接触の状態とされている。
【０００５】
上記のような連続給水装置を有する枚葉オフセット印刷機においては、印刷開始のスタートボタンを押すと、調量ローラがオシレーションローラに接触し、その接触後、水着けローラがオシレーションローラと版胴に装着された刷版の双方に接触して刷版に水を塗布する。また、水の塗布後、インキ供給装置のインキ着けローラが刷版に接触してインキを供給し、そのインキ供給後、給紙動作が開始されるようになっている。
【０００６】
ここで、従来の枚葉オフセット印刷機においては、
（イ）調量ローラがオシレーションローラに接触してから水着けローラが水送り動作を開始するまでの時間Ｔ11
（ロ）水着けローラがオシレーションローラと刷版の双方に接触してからインキ着けローラがインキ送りの動作を開始するまでの時間Ｔ12
（ハ）インキ着けローラが刷版に接触して給紙が開始されるまでの時間Ｔ13
を印刷機に固有の数値として設定していた。
【０００７】
【発明が解決しようとする課題】
ところで、枚葉オフセット印刷機の版胴に装着される刷版には、ＰＳ版（アルミベース）、シルバーマスタ（フィルムベース）、ピンクマスタ（紙ベース）が存在し、これらの刷版の性質はそれぞれ異なっている。このため、前記（イ）乃至（ハ）の各項目における時間Ｔ11乃至Ｔ13を固有の数値として設定すると、刷版に対する水の供給量に過不足が生じることになる。
【０００８】
例えば、設定時間Ｔ11乃至Ｔ13を濡れ性およびインキ塗布性に優れたＰＳ版に合わせると、濡れ性およびインキ塗布性が劣るシルバーマスタおよびピンクマスタでは水が不足して、水とインキのバランスがとれずに版面が汚れ、刷り出し時に適正な印刷物が得られないという問題が生じる。
【０００９】
一方、各種の設定時間Ｔ11乃至Ｔ13をシルバーマスタおよびピンクマスタに合わせると、ＰＳ版の場合に水の供給量が多くなり過ぎてインキ濃度が上がらず、刷り出し時の印刷物が水っぽくなるという問題が生じる。
【００１０】
この発明の課題は、各種の刷版に対して適正な量の水とインキを供給できるようにして、刷り出し時に本刷りに近い印刷物が得られるようにした枚葉オフセット印刷機の制御方法を提供することである。
【００１１】
【課題を解決するための手段】
上記の課題を解決するために、第１の発明においては、枚葉オフセット印刷機の連続給水装置によって版胴上に装着された刷版に水を供給したのち、インキ供給装置により刷版にインキを供給して印刷を開始する枚葉オフセット印刷機の制御方法において、
（ａ）連続給水装置の調量ローラがオシレーションローラに接触してから水着けローラが水送りの動作を開始するまでの時間Ｔ１、
（ｂ）前記水着けローラが前記オシレーションローラおよび刷版に接触してからインキ供給装置のインキ着けローラがインキ送りの動作を開始するまでの時間Ｔ２、
（ｃ）インキ着けローラが刷版に接触してから給紙が開始されるまでの時間Ｔ３、
のそれぞれの時間Ｔ１乃至Ｔ３を設定可能とし、版胴にセットされる刷版の濡れ性およびインキ塗布性に応じてこれらの時間を設定してから印刷を開始する構成を採用したのである。
【００１２】
なお、枚葉オフセット印刷機の運転状態では、時間当たりの機械回転数は一定であるため、前記各時間Ｔ1 、Ｔ2 、Ｔ3 を回転数に置き換えるようにしてもよい。
【００１３】
上記の課題を解決するために、第２の発明においては、枚葉オフセット印刷機の連続給水装置によって版胴上に装着された刷版に水を供給したのち、インキ供給装置により刷版にインキを供給して印刷を開始する枚葉オフセット印刷機の制御方法において、
（ａ）連続給水装置の調量ローラがオシレーションローラに接触してから水着けローラが水送りの動作を開始するまでの時間Ｔ１、
（ｂ）前記水着けローラが前記オシレーションローラおよび刷版に接触してからインキ供給装置のインキ着けローラがインキ送りの動作を開始するまでの時間Ｔ２、
（ｃ）インキ着けローラが刷版に接触してから給紙が開始されるまでの時間Ｔ３、
の（ａ）乃至（ｃ）の３項目の設定時間を組み合わせたセットを二つ以上作り、これらのセットをスイッチによって切換え可能とし、版胴にセットされた刷版の濡れ性およびインキ塗布性に応じて適切なセットを選択して印刷を開始する構成を採用したのである。
【００１４】
前記第１の発明および第２の発明のいずれの発明においても、各種刷版に対してほぼ適正な量の水とインキを供給することができ、刷り出し時から本刷りに近い印刷物を得ることができる。
【００１５】
【発明の実施の形態】
以下、この発明の実施の形態を図面に基づいて説明する。図１は、枚葉オフセット印刷機の概略図を示す。図示のように、枚葉オフセット印刷機は、図示省略した圧胴上にブランケット胴１が設けられ、そのブランケット胴１上に版胴２が設けられている。
【００１６】
版胴２の外周上部には、その版胴２の外周に装着される刷版Ａに対して水を供給する連続給水装置１０と、インキを供給するインキ供給装置２０とが設けられている。
【００１７】
ここで、刷版Ａとして、ＰＳ版、シルバーマスタ、ピンクマスタが存在する。
【００１８】
連続給水装置１０は、水タンク１１内の貯水中に下部が浸漬された水元ローラ１２と、その水元ローラ１２に接触された調量ローラ１３と、その調量ローラ１３に対設され、軸方向に往復動されるオシレーションローラ１４と、そのオシレーションローラ１４と版胴２間に設けられた水着けローラ１５を有している。
【００１９】
枚葉オフセット印刷機の運転開始前の状態で、調量ローラ１３はオシレーションローラ１４に対して非接触の状態とされ、一方、水着けローラ１５はオシレーションローラ１４および版胴２の双方に対して非接触の状態とされている。
【００２０】
インキ供給装置２０はインキ着けローラ２１を有し、このインキ着けローラ２１は印刷開始前の状態で版胴２に対して非接触の状態とされている。
【００２１】
上記の構成から成る枚葉オフセット印刷機において、スタートボタンを押すと、連続給水装置１０の調量ローラ１３がオシレーションローラ１４に接触する。その接触後、水着けローラ１５がオシレーションローラ１４および版胴２の外周に装着された刷版Ａの双方に接触し、その接触によって刷版Ａに水が供給される。
【００２２】
また、水供給後、インキ供給装置２０におけるインキ着けローラ２１が刷版Ａに接触してインキが供給され、そのインキ供給後、給紙動作が開始されて図示省略された圧胴とブランケット胴１間に枚葉紙が連続して供給される。
【００２３】
図２は、刷版Ａに水およびインキを供給している状態を示す。
【００２４】
図３は、上記の構成から成る枚葉オフセット印刷機の運転を制御する制御ブロック回路を示す。
【００２５】
いま、（ａ）調量ローラ１３がオシレーションローラ１４に接触してから水着けローラ１５が水送りを開始するまでの時間をＴ1 、
（ｂ）水着けローラ１５がオシレーションローラ１４および刷版Ａに接触してからインキ供給装置２０のインキ着けローラ２１がインキ送りの動作を開始するまでの時間をＴ2 、
（ｃ）インキ着けローラ２１が刷版Ａに接触してから給紙が開始されるまでの時間をＴ3 、とすると、これらの各時間Ｔ1 乃至Ｔ3 を調整することにより、水の供給量およびインキの供給量を調整することができ、ＰＳ版、シルバーマスタおよびピンクマスタの各種の刷版Ａに対して適正な量の水およびインキを供給することができる。各種の刷版Ａに対して適正な量の水およびインキを供給するためのこれらの各時間Ｔ1 乃至Ｔ3 は試験によって予め知ることができる。
【００２６】
図３に示す制御ブロック回路においては、各種の刷版Ａに応じて前記（ａ）乃至（ｃ）項の各時間Ｔ1 乃至Ｔ3 を設定し得る時間設定器３１、３２、３３を有し、その時間設定器３１、３２、３３に入力される時間信号を制御部３４に出力するようにしている。制御部３４では各時間設定器３１、３２、３３から入力される時間信号に基づいて調量ローラ１３の位置変更用駆動装置を制御する第１ドライブ３５、水着けローラ１５の位置変更用駆動装置を制御する第２ドライブ３６、インキ着けローラ２１の位置変更用駆動装置を制御する第３ドライブ３７および給紙機構の駆動部を制御する第４ドライブ３８に出力するようにしている。
【００２７】
上記のように、刷版Ａの種類に応じて（ａ）乃至（ｃ）項の各種の時間Ｔ1 乃至Ｔ3 を設定器３１、３２、３３のそれぞれに入力して枚葉オフセット印刷機のスタートボタンを押すことにより、各種の刷版Ａに対して適正な量の水とインキを供給することができ、刷り出し時に本刷りに近い印刷物を得ることができる。
【００２８】
ここで、ＰＳ版、シルバーマスタ、ピンクマスタのうち、シルバーマスタとピンクマスタの（ａ）乃至（ｃ）項の各種の時間Ｔ1 乃至Ｔ3 はほぼ等しい。そこで、第２の発明では、（ａ）乃至（ｃ）の３項目の設定時間を組み合わせたセットを二つ以上作り、これらのセットをスイッチにより切換え可能とし、版胴２にセットされた刷版Ａに応じて適切なセットを選択して印刷を開始するようにしており、この場合においても、刷り出し時に本刷りに近い印刷物を得ることができる。
【００２９】
【発明の効果】
以上のように、この発明においては、各種の刷版に対して適切な量の水とインキを供給することができるため、刷り出し時から本刷りに近い印刷物を印刷することができる。
【図面の簡単な説明】
【図１】枚葉オフセット印刷機の印刷開始前の状態を示す概略図
【図２】枚葉オフセット印刷機の印刷状態を示す概略図
【図３】制御ブロック回路図
【符号の説明】
２  版胴
１０  連続給水装置
１２  水元ローラ
１３  調量ローラ
１４  オシレーションローラ
１５  水着けローラ
２０  インキ供給装置
２１  インキ着けローラ
【図１】
0003779206.tif 000002
【図２】
0003779206.tif 000003
【図３】
0003779206.tif 000004